【事件の表示】
　平成　９年特許願第１３８１９５号「ディジタルテレビジョン受信機」拒絶査定不服審判事件〔平成１０年１２月１８日出願公開、特開平１０−３３６６０３〕について、次のとおり審決する。
【結　論】
　本件審判の請求は、成り立たない。
【理　由】
第１　経緯
１　手続
　本願は，平成９年５月２８日の出願であって，平成１６年３月２４日付けで拒絶査定がなされ，これに対し，同年４月３０日に拒絶査定に対する審判請求がなされるとともに，同年５月２８日付けで手続補正（明細書または図面について請求の日から３０日以内にする補正）がなされ，当審において平成１８年６月２日付けで上記平成１６年５月２８日付けの手続補正が却下されるとともに拒絶理由が通知され，これに対し，平成１８年８月３日付けで手続補正がなされたものである。
　
２　査定
　原査定の理由は，概略，下記のとおりである。
　　
　　　　　　　　　　　　　　　　記（原査定の理由）
　本願の請求項１ないし４に係る発明は，下記刊行物に記載された発明に基いて，当業者が容易に発明をすることができたものであるから，特許法第２９条第２項の規定により，特許を受けることができない。
　
　　　　　　　　　　　　　　　　記
（１）特開平４−２３３８８２号公報 
（２）実用新案登録第３０３５９０３号公報 
　
３　当審の拒絶理由の通知
　当審が通知した拒絶の理由は，概略，下記のとおりである。
　
　　　　　　　　　　　　　　　　記（当審が通知した拒絶の理由）
　本願の請求項１ないし４に係る発明は，下記刊行物に記載された発明に基いて，当業者が容易に発明をすることができたものであるから，特許法第２９条第２項の規定により特許を受けることができない。
　
　　　　　　　　　　　　　　　　記
（１）特開平９−７４５５５号公報
（２）特開平８−２７５０７７号公報 
（３）特開平５−１９９５２５号公報 
（４）実用新案登録第３０３５９０３号公報
（５）特開平４−２３３８８２号公報
（６）特開平８−３２９５５８号公報
（７）特開平２−１５０１８３号公報
 
第２　本願発明
　本願の請求項１及び２に係る各発明は，本願明細書及び図面（平成１５年２月１７日付け及び平成１８年８月３日付けの手続補正書により補正された明細書及び図面）の記載からみて，それぞれ，その特許請求の範囲の請求項１及び請求項２に記載したとおりの「ディジタルテレビジョン受信機」であると認められるところ，そのうち，請求項１に係る発明（以下，本願発明という。）は次のとおりである。
「【請求項１】映像データに情報データが多重されたディジタルテレビジョン放送信号を受信し，そのディジタルテレビジョン放送信号を復調して映像信号をモニタへ出力するディジタルテレビジョン受信機であって，
　ディジタルテレビジョン放送信号を受信してトランスポートストリームを出力するチューナユニット(12)，
　前記トランスポートストリームに含まれる複数のチャネルのデータから取り出すべき映像データ信号を指定する指定手段(26)，
　前記指定手段の指示に従って所望のチャネルのトランスポートパケットを取り出して出力するデマルチプレクサ(14)，
　前記デマルチプレクサから出力される前記トランスポートパケットの映像データを伸長する第１デコーダ(16)，
　前記第１デコーダで伸長した映像データをアナログテレビジョン信号に変換する第２デコーダ(18)，
　前記第２デコーダからの前記アナログテレビジョン信号を録画用信号として出力する第１出力，
　オンスクリーン表示のための多重化タイミングや表示形式を含むオンスクリーン表示データを予め格納しているメモリ(28)，
　前記デマルチプレクサから出力される前記トランスポートパケットに含まれる番組情報とその番組情報に従って前記メモリから読み出したオンスクリーン表示データとを出力する出力手段(26)，
　前記出力手段から与えられる前記番組情報に基づいてオンスクリーンデータを出力するオンスクリーンデータ出力手段(20)，
　前記オンスクリーンデータをアナログテレビジョン信号に変換する第３デコーダ(22)，
　オンスクリーン映像を表示すべき位置を示す位置情報に従って前記第２デコーダからのアナログテレビジョン信号または前記第３デコーダからのアナログテレビジョン信号を選択することによって２つのアナログテレビジョン信号を重畳した重畳信号を出力する重畳手段(24)，および
　前記重畳手段からの前記重畳信号をモニタ用信号として出力する第２出力を備える，ディジタルテレビジョン受信機。」
　
第３　当審の判断
１　引用例の記載
　当審が通知した拒絶の理由において引用した特開平８−２７５０７７号公報（平成８年１０月１８日出願公開，以下，「引用例」という。）には，図面とともに，次のとおりの記載がある。
ア　「これに対して，デジタル衛星方式においては，ＥＰＧデータが，本来の画像データと共にデジタル化され，さらにパケット化されて伝送される。受信側においては，このＥＰＧデータをメモリに蓄積し，対応する表示データを生成して，モニタに表示するようにする。
　いずれの方式においても，使用者は，モニタに表示された電子番組ガイドを見て，自分が視聴を希望する番組を選択することができる。」（段落【０００５】，段落【０００６】）
イ　「【実施例】図１は，本発明の電子番組ガイドシステムを適用したＡＶシステムの構成例を表している。このＡＶシステム１においては，ＶＣＲ（Ｖｉｄｅｏ　Ｃａｓｓｅｔｅ　Ｒｅｃｏｄｅｒ）２，３，ＩＲＤ（Ｉｎｔｅｇｒａｔｅｄ　Ｒｅｃｅｉｖｅｒ／Ｄｅｃｏｄｅｒ）４，テレビジョン（ＴＶ）受像機５およびＥＰＧレシーバ６が，ＡＶライン１１とコントロールライン１２により相互に接続されている。
　ＡＶライン１１は，コンポジットビデオ信号線，オーディオＬ信号線，オーディオＲ信号線の３本の線により構成されている。また，コントロールライン１２は，後述するトランスレータ２０５（図２）を設けない場合においては，ワイヤードＳＩＲＣＳ（Ｗｉｒｅｄ　Ｓｏｎｙ　Ｉｎｆｒａｒｅｄ　Ｒｅｍｏｔｅ　Ｃｏｎｔｒｏｌ　Ｓｙｓｔｅｍ）の構成とすることができる。従って，これらのＡＶ機器は，ＡＶライン１１を介して伝送されるビデオ信号とオーディオ信号を授受するビデオ信号送受信部と，コントロールライン１２を介して授受されるコントロールデータを授受するＡＶ機器制御信号送受信部とを有している。（中略）
　図２は，ＥＰＧレシーバ６の内部の構成例を表している。入出力（Ｉ／Ｏ）部２０１は，ビデオ信号送受信部２０２と，ＡＶ機器制御信号送受信部２０３とにより構成されている。ビデオ信号送受信部２０２は，ＡＶライン１１に対して，ビデオ信号とオーディオ信号を授受する動作を実行し，ＡＶ機器制御信号送受信部２０３は，コントロールライン１２に対してコントロール信号を授受する処理を実行する。」（段落【００１６】ないし段落【００１９】）
ウ　「図３は，衛星放送を受信するためのＩＲＤ４の内部の構成例を示している。パラボラアンテナ６１のＬＮＢ（Ｌｏｗ　Ｎｏｉｓｅ　Ｂｌｏｃｋ　ｄｏｗｎｃｏｎｖｅｒｔｅｒ）６１ａより出力されたＲＦ信号（ビットストリーム）は，フロントエンド２０のチューナ２１に供給され，復調される。チューナ２１の出力は，ＱＰＳＫ復調回路２２に供給され，ＱＰＳＫ復調される。ＱＰＳＫ復調回路２２の出力は，エラー訂正回路２３に供給され，エラーが検出，訂正され，必要に応じて補正される。」（段落【００２１】）
エ　「ＣＰＵ（Ｃｅｎｔｒａｌ　Ｐｒｏｃｅｓｓｏｒ　Ｕｎｉｔ），ＲＯＭ（Ｒｅａｄ　Ｏｎｌｙ　Ｍｅｍｏｒｙ）およびＲＡＭ等からなるＩＣカードにより構成されているＣＡＭ（Ｃｏｎｄｉｔｉｏｎａｌ　Ａｃｃｅｓｓ　Ｍｏｄｕｌｅ）３３には，暗号を解読するのに必要なキーが，解読プログラムとともに格納されている。衛星を介して送信される信号が暗号化されている場合，この暗号を解読するのにキーと解読処理が必要となる。そこで，カードリーダインタフェース３２を介してＣＡＭ３３からこのキーが読み出され，デマルチプレクサ（トランスポートＩＣ）２４に供給される。デマルチプレクサ２４は，このキーを利用して，暗号化された信号を解読する。
　尚，このＣＡＭ３３には，暗号解読に必要なキーと解読プログラムの他，課金情報なども格納されている。
　デマルチプレクサ２４は，フロントエンド２０のエラー訂正回路２３の出力する信号の入力を受け，これをデータバッファメモリ（ＳＲＡＭ：Ｓｔａｔｉｃ　Ｒａｎｄｏｍ　Ａｃｃｅｓｓ　Ｍｅｍｏｒｙ）３５に一旦記憶させる。そして，適宜これを読み出し，解読したビデオ信号をＭＰＥＧ（Ｍｏｖｉｎｇ　Ｐｉｃｔｕｒｅ　Ｅｘｐｅｒｔｓ　Ｇｒｏｕｐ）ビデオデコーダ２５に供給し，解読したオーディオ信号をＭＰＥＧオーディオデコーダ２６に供給する。」（段落【００２２】ないし段落【００２４】）
オ　「ＭＰＥＧビデオデコーダ２５は，入力されたデジタルビデオ信号をＤＲＡＭ２５ａに適宜記憶させ，ＭＰＥＧ方式により圧縮されているビデオ信号のデコード処理を実行する。」（段落【００２５】）
カ　「デコードされたビデオ信号は，ＮＴＳＣエンコーダ２７に供給され，ＮＴＳＣ方式の輝度信号（Ｙ），クロマ信号（Ｃ），およびコンポジット信号（Ｖ）に変換される。輝度信号とクロマ信号は，バッファアンプ２８Ｙ，２８Ｃを介して，それぞれＳビデオ信号として出力される。また，コンポジット信号は，バッファアンプ２８Ｖを介してＡＶライン１１のビデオ信号線に出力される。」（段落【００２５】）
キ　「ＲＦモジュレータ４１は，ＮＴＳＣエンコーダ２７が出力するコンポジット信号と，Ｄ／Ａ変換器３０が出力するオーディオ信号とをＲＦ信号に変換して出力する。また，このＲＦモジュレータ４１は，ＴＶモードが設定されたとき，ケーブルボックス等のＡＶ機器から入力されるＮＴＳＣ方式のＲＦ信号をスルーして，ＶＣＲや他のＡＶ機器にそのまま出力する。」（段落【００２９】）
ク　「また，デマルチプレクサ２４は，フロントエンド２０から供給されるＭＰＥＧビデオデータとオーディオデータ以外に，ＥＰＧデータなどを取り込み，データバッファメモリ３５のＥＰＧエリア３５Ａに供給し，記憶させる。ＥＰＧ情報は現在時刻から数十時間後までの各放送チャンネルの番組に関する情報（例えば，番組のチャンネル，トランスポンダ番号，放送時間，タイトル，カテゴリ，番組に出演している俳優名等）を含んでいる。このＥＰＧ情報は，頻繁に伝送されてくるため，ＥＰＧエリア３５Ａには常に最新のＥＰＧを保持することができる。」（段落【００３３】）
ケ　「図５は，ＴＶ受像機５の内部の構成例を表している。（中略）
　コントローラ２２６は，ＲＡＭ２２５に記憶されているＥＰＧデータを元に，発生回路２２７を制御し，ＯＳＤデータ（表示データ）を発生させ，合成回路２２８を介して，ＣＲＴ２２９に出力し，表示させる。
　ビデオ信号送受信部２３０は，ＡＶライン１１に対して，ビデオ信号とオーディオ信号を授受する処理を実行し，ＡＶ機器制御信号送受信部２３１は，コントロールライン１２に対してコントロール信号を授受する処理を実行する。ＩＲ受信部５Ｂは，リモートコマンダ５からの赤外線信号を受信し，受信検知信号をコントローラ２２６に出力する。」（段落【００４６】ないし段落【００４８】）
コ　「ＥＰＧレシーバ６のコントローラ２０４は，その電源がオンされている状態において，図７のフローチャートに示すＥＰＧデータ記憶処理を実行する。最初にステップＳ２１において，コントローラ２０４は，ＡＶシステム１に接続されているＡＶ機器の中から，ＥＰＧデータを受信する受信機器を選択する。例えば，最初にＩＲＤ４を選択する。次に，ステップＳ２２に進み，コントローラ２０４は，ステップＳ２１で選択した受信機器に対して，ＥＰＧデータの受信を要求する。いまの場合，コントローラ２０４は，ＡＶ機器制御信号送受信部２０３およびコントロールライン１２を介して，ＩＲＤ４にＥＰＧデータの受信を要求する。」（段落【００５２】）
サ　「従って，ＩＲＤ４のＣＰＵ２９は，ＡＶ機器制御信号送受信部３９を介して，（中略）このコマンドを受け取ったとき，ＣＰＵ２９は，デマルチプレクサ２４を制御し，データバッファメモリ３５のＥＰＧエリア３５Ａに記憶されているＥＰＧデータを読み出させる。（中略）
　ＣＰＵ２９は，このＥＰＧデータを読み出すと，ＡＶ機器制御信号送受信部３９，コントロールライン１２を介して，ＥＰＧレシーバ６に出力する。
　ＥＰＧレシーバ６のコントローラ２０４は，ＡＶ機器制御信号送受信部２０３を介して，このＥＰＧデータを受け取ることになる。そして，（中略）ＥＰＧデータをＲＡＭ２０７に記憶させる。」（段落【００５５】ないし段落【００５８】）
シ　「次に，図９のフローチャートを参照して，所望の番組を選択する場合の処理について説明する。（中略）コントローラ２０４は，ＲＡＭ２０７に記憶されているＩＲＤ４のＥＰＧデータと，ＴＶ受像機５のＥＰＧデータとを，表示上統合されたフォーマットのデータに変換し，そのデータをＡＶ機器制御信号送受信部２０３とコントロールライン１２を介してＴＶ受像機５に出力する。」（段落【００８２】ないし段落【００８５】）
ス　「ＴＶ受像機５のコントローラ２２６は，このＥＰＧデータをＡＶ機器制御信号送受信部２３１を介して受信したとき，発生回路２２７を制御し，このＥＰＧデータに対応する表示データ（ＯＳＤデータ）を発生させる。このＯＳＤデータは，合成回路２２８を介してＣＲＴ２２９に出力され表示される。
　これにより，ＲＡＭ２０７上においては統合されていないが，少なくとも表示状態においては，異なるＡＶ機器（システム）のＥＰＧデータが統合されたフォーマットでＴＶ受像機５のＣＲＴ２２９に表示される。従って，使用者は，異なるＡＶ機器における番組選択を同様の操作感覚で選択することが可能となる。」（段落【００８６】ないし段落【００８７】）
セ　「すなわち，リモートコマンダ２４１のセレクトボタンスイッチ２４９を上下左右に方向操作する。（中略）ＥＰＧレシーバ６のコントローラ２０４は，ＩＲ受信部６Ｂを介して方向操作信号を受信したとき，トランスレータ２０５に，ＴＶ受像機５用のカーソル移動コマンドを発生させる。このコマンドはコントロールライン１２を介してＴＶ受像機５に伝送される。
　ＴＶ受像機５のコントローラ２２６は，このコマンドの入力を受けたとき，発生回路２２７を制御し，ＣＲＴ２２９の電子番組ガイドに表示されているカーソル（図１２）を操作方向に対応して移動させる。この電子番組ガイドには，横軸に時刻が，縦軸にチャンネルが表示され，各チャンネルの放送時刻の位置に，その番組名が表示されている。カーソルをその番組名上に移動させることで，番組を選択する。
　次に，ステップＳ５４に進み，（中略）ＴＶ受像機５のコントローラ２２６は，コントロールライン１２を介してセレクト操作を検知したとき，ＡＶ機器制御信号送受信部２３１を制御し，そのときカーソルが位置する位置情報を，コントロールライン１２を介して，ＥＰＧレシーバ６に出力する。
　ＥＰＧレシーバ６のコントローラ２０４は，ＡＶ機器制御信号送受信部２０３を介して，この位置情報の入力を受けたとき，その位置に対応する番組を判定する。（中略）
　そして，コントローラ２０４は，（中略）選択されたのが，ＩＲＤ４により受信される番組（すなわち，衛星を介して放送される番組）である場合においては，ＩＲＤ４に対して，その受信を要求するコマンドを発生（中略）する。」（段落【００９６】ないし段落【０１０２】）
ソ　「ＩＲＤ４は，ＡＶ機器制御信号送受信部３９を介して，この受信要求信号の入力を受けたとき，フロントエンド２０を制御し，指定された番組の受信を指令する。その結果，指令に対応する番組が受信され，その映像信号がＡＶライン１１を介して，ＴＶ受像機５に伝送される。
　ＴＶ受像機５は，ビデオ信号送受信部２３０を介して，この映像信号の入力を受けたとき，これを合成回路２２８を介して，ＣＲＴ２２９に出力し，表示させる。」（段落【０１０５】ないし段落【０１０６】）
　
２　対比
　本願発明と引用例に記載された発明（以下「引用発明」という。）とを対比する。
（１）引用例の上記記載アないしカ，ク，セ，ソ，第１図，第３図及び第５図によれば，引用発明は，画像データとともにＥＰＧデータがパケット化されたデジタル衛星方式の衛星放送を，パラボラアンテナ６１で受信し，ＩＲＤ４のフロントエンド２０で復調し，デマルチプレクサ（トランスポートＩＣ）２４，ＭＰＥＧビデオデコーダ２５，ＮＴＳＣエンコーダ２７，ＡＶライン１１，ＴＶ受像機５のビデオ信号送受信部２３０を経て，ＣＲＴ２２９にビデオ信号を出力するものである。
　上記画像データ，ＥＰＧデータ，デジタル衛星方式の衛星放送信号，ＣＲＴ２２９，ビデオ信号は，それぞれ本願発明にいう「映像データ」，「情報データ」，「ディジタルテレビジョン放送信号」，「モニタ」，「映像信号」に相当し，引用発明（ＩＲＤ４，ＴＶ受像機５（但し，ＣＲＴ２２９を除く。）及びＥＰＧレシーバ６）は，「映像データに情報データが多重されたディジタルテレビジョン放送信号を受信し，そのディジタルテレビジョン放送信号を復調して映像信号をモニタへ出力するディジタルテレビジョン受信機」といえる。
　上記ＩＲＤ４及びＴＶ受像機５は，ＡＶライン１１とコントロールライン１２を介して，ＶＣＲ２，３及びＥＰＧレシーバ６にも接続されており（記載イ），使用者は，ＣＲＴ２２９に表示された電子番組ガイド（ＥＰＧ）を見て，視聴を希望する番組を選択することができ，ＩＲＤ４は，選択された番組の受信要求信号を受けて指定された番組を受信する（記載セ，ソ）。パラボラアンテナ６１で受信された衛星放送信号は，ＬＮＢ６１ａでＲＦ信号（ビットストリーム）に変換され，チューナ２１，ＱＰＳＫ復調回路２２，エラー訂正回路２３からなるフロントエンド２０で復調され，エラーが検出，訂正されて，デマルチプレクサ２４に出力される（記載ウ，エ）。デマルチプレクサ２４は，暗号化された信号を解読してビデオ信号をデータバッファメモリ（ＳＲＡＭ）３５に一旦記憶し，適宜これを読み出してビデオ信号をＭＰＥＧビデオデコーダ２５に供給するとともにオーディオ信号をＭＰＥＧオーディオデコーダ２６に供給し（記載エ），ＥＰＧデータをデータバッファメモリ３５内のＥＰＧエリア３５Ａに供給する（記載ク）。ＭＰＥＧビデオデコーダ２５は，入力されたビデオ信号をＤＲＡＭ２５ａに適宜記憶させ，ＭＰＥＧ方式により圧縮されているビデオ信号をデコード処理する（記載オ）。
　当該技術分野の技術常識（例えば，藤原洋監修，「ポイント図解式　最新ＭＰＥＧ教科書」，第１版，株式会社アスキー，平成６年８月１日，ｐ２３１ないしｐ２５３，藤原洋監修，「ポイント図解式　実践ＭＰＥＧ教科書」，初版，株式会社アスキー，平成７年１１月１日，ｐ１３４ないしｐ１５０，特開平８−２２３０３４号公報（特に，段落４７ないし段落５５参照）又は特開平７−２７１７５４号公報（特に，段落４１ないし段落５９及び第１図参照））を考慮すれば，上記フロントエンド２０から出力される復調，エラー訂正後の信号は，本願発明にいう「トランスポートストリーム」に相当し，使用者がモニタに表示されたＥＰＧを見ながら希望の番組を選択することによって上記「トランスポートストリーム」に含まれる複数のチャネルのデータから取り出すべきチャネルに対応する映像データ信号が指定される。また，デマルチプレクサ２４は，上記取り出すべきチャネルのパケットを分離するものであって，上記パケットは本願発明にいう「トランスポートパケット」ということができ，ＭＰＥＧビデオデコーダ２５は，圧縮されたビデオ信号の「トランスポートパケット」を受けてデコード処理するものであるから，本願発明にいう「トランスポートパケットの映像データを伸長する」ものといえる。
　したがって，「ディジタルテレビジョン放送信号を受信してトランスポートストリームを出力するチューナユニット」，「前記トランスポートストリームに含まれる複数のチャネルのデータから取り出すべき映像データ信号を指定する指定手段」，「前記指定手段の指示に従って所望のチャネルのトランスポートパケットを取り出して出力するデマルチプレクサ」，「前記デマルチプレクサから出力される前記トランスポートパケットの映像データを伸長する第１デコーダ」の存在を認めることができる。
（２）引用例の上記記載カ，キ及び第３図によれば，ＭＰＥＧビデオデコーダ２５でデコードされたディジタルビデオ信号はＤＲＡＭ２５ａに記憶され，ＮＴＳＣエンコーダ２７でＹ，Ｃ及びコンポジット信号に変換され，又はさらにＲＦモジュレータ４１でＲＦ信号に変換され，録画用信号としてＶＣＲ２，３に供給される。
　「前記第１デコーダで伸長した映像データをアナログテレビジョン信号に変換する第２デコーダ」，「前記第２デコーダからの前記アナログテレビジョン信号を録画用信号として出力する第１出力」の存在が認められる。
（３）引用例の上記記載クないしスによれば，ＩＲＤ４のデマルチプレクサ２４は，ＥＰＧデータを取り込んでデータバッファメモリ３５のＥＰＧエリア３５Ａに供給して記憶させ（記載ク），ＥＰＧレシーバ６のコントローラ２０４は，ＩＲＤ４にＥＰＧデータの受信を要求し（記載コ），ＩＲＤ４のＣＰＵ２９は，上記ＥＰＧエリア３５Ａに記憶されているＥＰＧデータを読み出してＥＰＧレシーバ６に出力し（記載コ），ＥＰＧレシーバ６のコントローラ２０４は，このＥＰＧデータを受け取ってＲＡＭ２０７に記憶する（記載サ）。所望の番組を選択する場合には，ＥＰＧデータを所定のフォーマットのデータに変換してＴＶ受像機５に出力し（記載シ），ＴＶ受像機５のコントローラ２２６は，このＥＰＧデータを受信したとき，発生回路２２７を制御して，このＥＰＧデータに対応する表示データ（ＯＳＤデータ）を発生させ，合成回路２２８を介してＣＲＴ２２９に出力して（記載ス），ＣＲＴ上に電子番組ガイドをオンスクリーン表示する。上記電子番組ガイドは，横軸が時刻，縦軸がチャンネルであり，各チャンネルの放送時刻の位置にその番組名を表示する形式で表示される（記載セ）。
　ＥＰＧレシーバ６は，ＥＰＧデータを所定のフォーマットのデータに変換してＴＶ受像機５に出力し，ＴＶ受像機５のコントローラ２２６は，上記ＥＰＧデータを受信したとき，上記ＥＰＧデータに対応する表示データ（ＯＳＤデータ）を発生させて所定の表示形式の電子番組ガイドを表示するのであるから（記載ス），「オンスクリーン表示のための多重化タイミングや表示形式」は電子番組ガイドの表示に先だって予め定められているといえる。
　デマルチプレクサからＥＰＧエリア３５Ａに供給された上記ＥＰＧデータは，本願発明にいう「デマルチプレクサから出力されるトランスポートパケットに含まれる番組情報」といえ，「前記デマルチプレクサから出力される前記トランスポートパケットに含まれる番組情報を出力する出力手段」の存在を認めることができる。
　もっとも，本願発明では，「オンスクリーン表示のための多重化タイミングや表示形式を含むオンスクリーン表示データを予め格納しているメモリ」を有し，出力手段は，「番組情報に従って前記メモリから読み出したオンスクリーン表示データ」も出力しているのに対し，引用発明では，「オンスクリーン表示のための多重化タイミングや表示形式を含むオンスクリーン表示データを予め格納しているメモリ」を有し，出力手段が「番組情報に従って前記メモリから読み出したオンスクリーン表示データ」も出力するのか定かではない。
（４）引用例の上記記載ケ，ス，ソ及び第５図によれば，ＶＨＦ用アンテナ２２１で受信してチューナ２２２で復調した信号，あるいは，ＩＲＤ４からＡＶライン１１及びビデオ信号送受信部２３０を介して入力された映像信号（本願発明にいう「第２デコーダ」からの「アナログテレビジョン信号」に相当。）は，上記合成回路２２８を介してＣＲＴ２２９に表示される。また，ＴＶ受像機５のコントローラ２２６及び発生回路２２７は，ＥＰＧデータを受信し，上記ＥＰＧデータに対応する表示データ（ＯＳＤデータ）を発生するものであって，最終的にＣＲＴ２２９への表示に適したアナログテレビジョン信号に変換したものを出力していることが認められるから，上記アナログテレビジョン信号に変換される前の中間段階のデータは本願発明にいう「オンスクリーンデータ」に相当し，上記「オンスクリーンデータ」を上記ＣＲＴ２２９への表示に適したアナログテレビジョン信号に変換する手段は「デコーダ」といえる。
　「前記出力手段から与えられる前記番組情報に基づいてオンスクリーンデータを出力するオンスクリーンデータ出力手段」と「オンスクリーンデータをアナログテレビジョン信号に変換する第３デコーダ」の存在が認められる。
（５）上記（３），（４）のとおり，ＴＶ受像機５は，ビデオ信号送受信部２３０を介して，ＩＲＤ４からの映像信号（本願発明の「第２デコーダ」からの「アナログテレビジョン信号」に相当）を受け，合成回路２２８を介して，ＣＲＴ２２９に出力し，表示する（記載ソ）。また，コントローラ２２６は，ＡＶ機器制御信号送受信部２３１を介してＥＰＧデータを受信したとき，発生回路２２７を制御し，上記ＥＰＧデータに対応する表示データを発生させ，合成回路２２８を介してＣＲＴ２２９に出力し，表示する（記載ス）。
　上記ＥＰＧデータに対応する表示データは，本願発明にいう「第３デコーダからのアナログテレビジョン信号」に相当し，
　本願発明の重畳手段では，「前記第２デコーダからのアナログテレビジョン信号または第３デコーダからのアナログテレビジョン信号」を「オンスクリーン映像を表示すべき位置を示す位置情報に従って」「選択」することにより重畳するのに対し，引用発明の合成回路２２８では，「第２デコーダからのアナログテレビジョン信号と第３デコーダからのアナログテレビジョン信号」とを「合成」することにより重畳している点で相違するものの，
　本願発明の重畳手段と引用発明の合成回路２２８とは，「第２デコーダからのアナログテレビジョン信号と第３デコーダからのアナログテレビジョン信号（２つのアナログテレビジョン信号）を重畳した重畳信号を出力する重畳手段」である点で一致する。
（６）また，合成回路２２８からの重畳信号をＣＲＴ２２９に出力しているから，「前記重畳手段からの前記重畳信号をモニタ用信号として出力する第２出力」の存在が認められる。
　
　上記（１）ないし（６）より，両者は，
「映像データに情報データが多重されたディジタルテレビジョン放送信号を受信し，そのディジタルテレビジョン放送信号を復調して映像信号をモニタへ出力するディジタルテレビジョン受信機であって，
　ディジタルテレビジョン放送信号を受信してトランスポートストリームを出力するチューナユニット(12)，
　前記トランスポートストリームに含まれる複数のチャネルのデータから取り出すべき映像データ信号を指定する指定手段(26)，
　前記指定手段の指示に従って所望のチャネルのトランスポートパケットを取り出して出力するデマルチプレクサ(14)，
　前記デマルチプレクサから出力される前記トランスポートパケットの映像データを伸長する第１デコーダ(16)，
　前記第１デコーダで伸長した映像データをアナログテレビジョン信号に変換する第２デコーダ(18)，
　前記第２デコーダからの前記アナログテレビジョン信号を録画用信号として出力する第１出力，
　前記デマルチプレクサから出力される前記トランスポートパケットに含まれる番組情報を出力する出力手段，
　前記出力手段から与えられる前記番組情報に基づいてオンスクリーンデータを出力するオンスクリーンデータ出力手段，
　前記オンスクリーンデータをアナログテレビジョン信号に変換する第３デコーダ，
　第２デコーダからのアナログテレビジョン信号と第３デコーダからのアナログテレビジョン信号（２つのアナログテレビジョン信号）を重畳した重畳信号を出力する重畳手段，
　前記重畳手段からの前記重畳信号をモニタ用信号として出力する第２出力を備える，ディジタルテレビジョン受信機。」
である点で一致し，以下の各点で相違している。
　
［相違点１］本願発明では，「オンスクリーン表示のための多重化タイミングや表示形式を含むオンスクリーン表示データを予め格納しているメモリ」を有し，出力手段は，「番組情報に従って前記メモリから読み出したオンスクリーン表示データ」も出力しているのに対し，引用発明では，「オンスクリーン表示のための多重化タイミングや表示形式を含むオンスクリーン表示データを予め格納しているメモリ」を有し，出力手段が「番組情報に従って前記メモリから読み出したオンスクリーン表示データ」も出力するのか定かではない点。
［相違点２］重畳手段は，本願発明では，「前記第２デコーダからのアナログテレビジョン信号または第３デコーダからのアナログテレビジョン信号」を「オンスクリーン映像を表示すべき位置を示す位置情報に従って」「選択」することにより重畳するのに対し，引用発明では，「第２デコーダからのアナログテレビジョン信号と第３デコーダからのアナログテレビジョン信号」とを「合成」することにより重畳している点。
　
３　判断
［相違点１］オンスクリーン表示のための多重化タイミングや表示形式をオンスクリーン表示データとして予めメモリに格納しておき，番組情報に従って上記メモリから読み出して出力することは，周知技術（例えば，特開平８−１０２９２２号公報（平成８年４月１６日出願公開，特に，段落１２８ないし段落１３２，第１０図及び第１４図参照。なお，オンスクリーン表示用のデータは，記録再生装置部２００への録画用信号の出力端よりも後段の映像表示処理部７４で重畳され，ＣＲＴディスプレイ７５に表示される。）又は国際公開第９６／３８００８号パンフレット（平成８年１１月２８日国際公開。特に，第１ページ第１１行ないし第３ページ第３７行，第７ページ第１９行ないし第９ページ第２０行（参考：特表平１１−５０５９８５号公報の第７ページ第８行ないし第１０ページ第３行，第１３ページ第２７行ないし第１５ページ第２９行）参照））であり，引用発明において，オンスクリーン表示のための多重化タイミングや表示形式を含むオンスクリーン表示データを予め格納しているメモリを設け，番組情報に従って上記メモリから読み出したオンスクリーン表示データを出力手段から出力させることは，当業者が容易になし得ることである。また，これによる効果も上記引用例の記載及び周知技術から当業者が予測できる範囲のものである。
　
［相違点２］オンスクリーン表示を行う際に，映像信号にオンスクリーン表示する信号を合成して表示すること，オンスクリーン映像を表示すべき位置でオンスクリーン表示する信号を選択して表示することは，いずれも周知であって，いずれの方法を採用するかは当業者が適宜決定し得ることであるから（例えば，特開平５−１９９５２５号公報（当審が通知した拒絶理由で引用）又は国際公開第９７／５７４３号パンフレット（平成９年２月１３日国際公開。特に，第５ページ第１６行ないし第２９行及び第１図（参考：特表平１１−５１０２６９号公報の第９ページ第１５行ないし第２４行及び第１図）参照）），引用発明において，「第２デコーダからのアナログテレビジョン信号と第３デコーダからのアナログテレビジョン信号」とを「合成」する代わりに，「前記第２デコーダからのアナログテレビジョン信号または第３デコーダからのアナログテレビジョン信号」を「オンスクリーン映像を表示すべき位置を示す位置情報に従って」「選択」するように構成することに格別の困難はない。また，これによる効果も上記引用例の記載及び周知技術から当業者が予測できる範囲のものである。
　
　以上判断したとおり，本願発明における上記相違点１及び２に係る構成はいずれも当業者が容易に想到し得たものであり，また，各相違点を総合しても本願発明は当業者が想到することが困難なものとはいえない。
　そして，本願発明の作用効果も，上記引用例及び周知技術から当業者が予測できる範囲のものである。
　
　したがって，本願発明は，上記引用例に記載された発明及び周知技術に基づいて当業者が容易に発明をすることができたものである。
　
４　むすび
　以上のとおり，本願の請求項１に係る発明は，引用例に記載された発明及び周知技術に基づいて当業者が容易に発明をすることができたものであるから，特許法第２９条第２項の規定により特許を受けることができない。
　したがって，残る請求項２について特に検討するまでもなく，本願は拒絶すべきものである。
　よって，結論のとおり審決する。